(57)【要約】【課題】本発明は、外部送信機によって点灯制御される照明装置において、回路構成を複雑化することなくＬＥＤを補助光源として用いることができる照明装置を提供する。【解決手段】本実施形態によれば、ＬＥＤ２０は、商用電源ｅの出力間に接続されているマイコン電源生成部８の出力に接続されているとともに、外部送信機からの信号を受けるために常に駆動しているマイコン６の出力部に接続されているので、簡単かつ安価であるにもかかわらず、ＬＥＤ２０の点灯制御を容易に、かつ、確実に行うことができる。【選択図】図１
2006100129.tif 000002
【特許請求の範囲】
【請求項１】
主光源を点灯させる点灯装置部と；
外部送信機からの送信信号を受信する受信部と；
リセット電圧が２Ｖ以上であって、受信部で受信した信号が入力されるマイコンを有し、このマイコンからの出力信号によって点灯装置部の駆動を制御するマイコン制御部と；
商用電源の出力間に接続されて２Ｖ以上のマイコン駆動用電源を生成し、マイコンに電源を供給するマイコン電源生成部と；
マイコン電源生成部の出力に接続されるとともに、マイコンの出力部に接続されてマイコンからの出力信号によって点灯制御するＬＥＤと；
を具備していることを特徴とする照明装置。
【発明の詳細な説明】
【技術分野】
【０００１】
本発明は、リモートコントロール装置等の外部送信機によって点灯制御される照明装置に関する。
【背景技術】
【０００２】
従来、例えばリモートコントロール装置によって光源の点灯をマイコンを用いて制御する照明装置は、蛍光ランプ等の主光源の点灯状態を全光および調光に可変させたり、いわゆる常夜灯といわれる電球からなる補助光源の点灯状態を可変させたりすることで種々の点灯状態を使用者が選択できるものである。
【０００３】
そして、このような照明装置の補助光源の点灯回路方式としては、点灯制御用にマイコンが用いられている点灯回路において、商用電源からの電源ライン上に整流素子または交流スイッチが用いられるものが知られている（例えば、特許文献1参照）。
【０００４】
また、近年、主光源とは別にＬＥＤを第二光源とする照明装置が開発されてきている。そして、その点灯回路方式としては、交流電源を整流平滑した直流電源と、この直流電源を受けてスイッチング素子のオンオフにより高周波発振するインバータ回路を備えた照明装置において、ＬＥＤ点灯用の直流電源を少なくとも前記直流電源を介して供給されるように形成する構成が知られている（例えば、特許文献２参照）。
【特許文献１】特開平９−９７６９７号公報
【特許文献２】特開２００３−２６４０９０号公報
【発明の開示】
【発明が解決しようとする課題】
【０００５】
しかしながら、特許文献１に記載の従来技術は、商用電源である交流電源を整流するための整流素子またはトライアック等の交流スイッチが設けられるものである。さらに、常夜灯である電球をマイコンの出力信号によって点灯制御するためのＯＮ／ＯＦＦスイッチも必要であった。したがって、部品点数が増加し、高価である回路構成となるものである。
【０００６】
また、特許文献２に記載の従来技術は、ＬＥＤ点灯用の直流電源を生成するために、インバータ回路の一部の回路が共用されるように形成されているため、回路構成自体が複雑となるともに、大形化してしまう虞がある。
【０００７】
本発明は上記に鑑みたものであり、外部送信機によって点灯制御される照明装置において、回路構成を複雑化することなくＬＥＤを補助光源として用いることができる照明装置を提供することを目的とする。
【課題を解決するための手段】
【０００８】
請求項１に記載の照明装置は、主光源を点灯させる点灯装置部と；外部送信機からの送信信号を受信する受信部と；リセット電圧が２Ｖ以上であって、受信部で受信した信号が入力されるマイコンを有し、このマイコンからの出力信号によって点灯装置部の駆動を制御するマイコン制御部と；商用電源の出力間に接続されて２Ｖ以上のマイコン駆動用電源を生成し、マイコンに電源を供給するマイコン電源生成部と；マイコン電源生成部の出力に接続されるとともに、マイコンの出力部に接続されてマイコンからの出力信号によって点灯制御するＬＥＤと；を具備していることを特徴とする。
【０００９】
そして、本発明によれば、外部送信機から主光源を点灯させるための送信信号が送信されると、受光部で当該信号を受信し、さらに受信部で受信された信号は、マイコンに入力する。そして、マイコンは、入力された当該信号に伴って予め設定されている制御情報を読み出するともに、その制御情報に伴って点灯装置部が駆動するように点灯装置部を制御する。
【００１０】
また、外部送信機からＬＥＤを点灯させるための送信信号が送信されると、受光部で当該信号を受信し、さらに受信部で受信された信号は、マイコンに入力する。そして、マイコンは、入力された当該信号に伴って予め設定されている制御情報を読み出するともに、その制御情報に伴ってＬＥＤが点灯制御するように、ＬＥＤへ直接信号を送信する。
【００１１】
このような制御形態において、商用電源から例えば１００Ｖの交流電圧がマイコン電源生成部へ供給されると、マイコン電源生成部では２Ｖ以上の直流電圧を生成しマイコンへ電源を供給する。すなわち、マイコンは、外部送信機からの信号を受光部で受けるために、主光源およびＬＥＤの点灯状態に関係なくマイコン電源生成部を介して商用電源から直接電源が供給されており、駆動している状況である。したがって、マイコンの出力部へ直接接続されているＬＥＤは、２Ｖ以上の直流電源で点灯可能であるものであれば、マイコンからＬＥＤの点灯制御に関する信号を直接受けた場合であっても、マイコン電源生成部からの電源供給によって点灯することができる。
【００１２】
本発明によれば、商用電源の出力間に接続されてマイコン駆動用電源を生成するマイコン電源生成部の出力からＬＥＤの点灯用電源を取っており、さらにマイコンの出力部に直接ＬＥＤが接続されているので、主光源以外に補助光源としてＬＥＤを用いても主光源の点灯回路とは別にＬＥＤ点灯用回路を単独で形成することができる。また、補助光源を点灯させるための交流スイッチやマイコンからの信号により補助光源を点灯させるためのＯＮ／ＯＦＦスイッチ等を用いることがないので、簡単かつ安価であるにもかかわらず、ＬＥＤの点灯制御を容易に、かつ、確実に行うことができる。さらにまた、部品点数が少なくなるので、小形化可能な回路とすることができる。
【００１３】
また、補助光源としてＬＥＤを用いることで、電球を補助光源として用いるよりも口金等の構造部品が削減できるととともに、補助光源からの発熱および消費電力を抑えることができ、照明装置の器具効率を向上させることができる。
【発明の効果】
【００１４】
請求項１記載の発明によれば、主光源以外に補助光源としてＬＥＤを用いてもＬＥＤ点灯用回路を単独で形成することができるとともに、補助光源を点灯させるための交流スイッチ等の回路部品の使用を用いることがないので、ＬＥＤの点灯制御を容易に、かつ、確実に行うことができる構成を簡単な構成で実現することができ、さらに小形化可能な回路構成とすることができる。
【発明を実施するための最良の形態】
【００１５】
本発明の一実施形態を図面を参照して説明する。図１は照明装置の点灯装置の回路図、図２は照明器具の底面図である。
【００１６】
図２に示すように、５０は例えば住宅用などに使用する照明装置を示し、この照明装置５０は、外観が円形である器具本体５１を備え、この器具本体５１の下面には反射体５２が設けられており、そして、反射体５２には主光源である放電灯としての環形の蛍光ランプＦＬ、補助光源すなわち常夜灯であるＬＥＤ２０、外部送信機からの信号を受信する受信部７とがそれぞれ取り付けられている。また、これら蛍光ランプＦＬとＬＥＤ２０とを点灯する点灯装置部であるインバータ回路４等が基板３０に設けられており、この基板３０は、器具本体５１と反射体５２との間に設けられている。なお、基板３０と蛍光ランプＦＬ、ＬＥＤ２０及び受光部７とはそれぞれ配線５３、５４、５５を介して電気的に接続されている。そして、器具本体５１の下面側には、反射体５２、蛍光ランプＦＬ，ＬＥＤ２０および受信部７を覆うように図示しないセードが設けられる。なお、５６は器具本体５１を天井に固定するためのアダプタであり、天井に設けられる引掛シーリングからアダプタ５６を介して基板３０に商用電源ｅの電源が供給されるようになっている。
【００１７】
図１に示すように、点灯装置１は、商用電源ｅに全波整流回路としてのダイオードブリッジ２の入力端子が接続され、このダイオードブリッジ２の出力端子間にはコンデンサＣ１が接続されている。
【００１８】
コンデンサＣ１には、力率改善用のプリレギュレータ回路としての昇圧チョッパ回路３にハーフブリッジ形の点灯装置部であるインバータ回路４が接続されている。これらダイオードブリッジ２、コンデンサＣ１、昇圧チョッパ回路３、インバータ回路４等で主光源である蛍光ランプＦＬの点灯装置部が構成されているものである。
【００１９】
昇圧チョッパ回路３は、コンデンサＣ１にインダクタＬ１およびスイッチング素子としての電界効果トランジスタＱ１の直列回路が接続され、この電界効果トランジスタＱ１にはダイオードＤ１および平滑用のコンデンサＣ２の直列回路が接続され、コンデンサＣ２にはインバータ回路４が接続されている。また、インバータ回路４は、コンデンサＣ２に電界効果トランジスタＱ４および電界効果トランジスタＱ３の直列回路が接続され、電界効果トランジスタＱ３にはインダクタＬ２および直流カット用のコンデンサＣ３を介して、主光源である蛍光ランプＦＬのフィラメントＦＬ１ａおよびフィラメントＦＬ１ｂのそれぞれの一端に接続されている。さらに、蛍光ランプＦＬのフィラメントＦＬ１ａおよびフィラメントＦＬ１ｂのそれぞれの他端に始動用のコンデンサＣ４が接続されている。
【００２０】
また、インバータ回路４には電界効果トランジスタＱ２および電界効果トランジスタＱ３を駆動するインバータ駆動回路５が接続されており、このインバータ駆動回路５はマイコン６およびインバータ制御部７により制御される。そして、マイコン６には、図示しない外部送信機から送信される赤外線のリモートコントロール信号を受信する受信部１０が接続されている。
【００２１】
一方、商用電源ｅの出力間には常夜灯であるＬＥＤ２０を点灯させるＬＥＤ点灯回路の一部であって、かつ、商用電源ｅを整流および平滑して直流電源としてマイコン６に供給するマイコン電源生成部８、商用交流電源ｅのオンオフを検出する電源監視部９、および、蛍光ランプＦＬおよびＬＥＤ２０の複数の点灯モードを操作する外部スイッチとしての壁スイッチ１１がそれぞれ電気的に接続されている。
【００２２】
そして、ＬＥＤ２０は、マイコン電源生成部８の出力に接続されているとともに、減流抵抗である抵抗Ｒ１を直列接続してなり、この抵抗Ｒ１がマイコン６の出力ポート６１に直接に接続されている。なお、ＬＥＤ２０は直流電圧２Ｖ以上で点灯可能であるものである。
【００２３】
マイコン電源生成部８は、商用交流電源ｅに接続された図示しないトランスおよびダイオードブリッジなどを備え、そして、例えばバックアップ電源としての平滑用のコンデンサと、電圧を所定値、例えば２Ｖ以上である５Ｖまで降下させてマイコン６に供給する電圧降下部としての図示しないドロッパが接続されて形成されているものである。
【００２４】
壁スイッチ１１は、壁などに設置されているものであり、外部操作により商用電源ｅをオンオフするものである。
【００２５】
電源監視部９は、壁スイッチ１１による商用電源ｅのオンオフを検出し、割り込み信号として電源検出信号をマイコン６に出力するものである。すなわち、壁スイッチ１１による商用電源ｅのオフおよびオンを所定の待ち受け時間、例えば１秒以内に切り換えた際に蛍光ランプＦＬおよびＬＥＤ２０の複数の点灯モードの切り換え信号を割り込み信号としてマイコン６に出力し、商用電源ｅのオフおよびオンを所定のリセット時間以内にしない場合には、消灯モードの割り込み信号をマイコン６に出力するものである。そして、入力された信号に応じてマイコン６は、商用電源ｅの所定時間内のオンオフであれば蛍光ランプＦＬおよびＬＥＤ２０の複数の点灯モードを切り換えるとともに、商用電源ｅの所定時間以上のオフであれば停電と判断し、それにともなう信号をインバータ制御部に出力するものである。
【００２６】
受信部１０は、外部送信機から送信された蛍光ランプＦＬおよびＬＥＤ２０の点灯および消灯の切り換え信号をそれぞれ受信し、割り込み信号としてマイコン６に出力するものである。
【００２７】
マイコン６は、受信部１０で受信した外部送信機からの信号に基づいて蛍光ランプＦＬの全光点灯、調光点灯、消灯およびＬＥＤ２０の点灯、消灯などの複数の点灯モードを切り換えるための割り込み信号、あるいは壁スイッチによる商用電源ｅのオンオフに伴う電源監視部９からの商用電源ｅの電源検出信号などの割り込み信号が入力されるものである。そして、入力された割り込み信号に応じた信号をインバータ制御部７あるいはＬＥＤ２０に直接出力し駆動させることで、蛍光ランプＦＬの全光点灯、調光点灯、蛍光ランプＦＬの消灯およびＬＥＤ２０の点灯と、蛍光ランプＦＬおよびＬＥＤ２０の消灯などの複数の点灯モードをそれぞれ切り換えるものである。
【００２８】
インバータ制御部７は、マイコン６から入力された信号に応じて、インバータ駆動回路５に対し、インバータ回路４を駆動停止状態にラッチさせるオフ信号、インバータ回路４の駆動停止状態のラッチを解除させるラッチ解除信号、インバータ回路４からの出力電圧を始動前予熱電圧から始動電圧に切り換えさせる電圧切換信号、始動時に蛍光ランプＦＬのフィラメントＦＬ１ａ、ＦＬ１ｂに予熱電圧を与えてから始動電圧を与えるようにする始動シーケンス信号、または例えば点灯累積時間から寿命末期を判断して寿命末期時あるいは寿命末期に近付いたときにインバータ回路４からの出力を低減させたりインバータ回路４を停止させる寿命末期制御信号を出力するようになっている。
【００２９】
インバータ駆動回路５は、マイコン６およびインバータ制御部７からのオフ信号がローレベルのときにインバータ回路４を停止状態にラッチし、マイコン６およびインバータ制御部７からのオフ信号がハイレベルになるとともにラッチ解除信号の入力時にインバータ回路４の停止状態のラッチを解除してインバータ回路４を駆動する機能を有している。すなわち、マイコン６が起動していないときにはインバータ回路４を駆動停止状態にラッチするとともにマイコン６が起動したときにはインバータ回路４の駆動停止状態のラッチを解除してインバータ回路４を駆動する機能を有している。
【００３０】
次に、本実施の形態の動作について説明する。
【００３１】
点灯装置１では、商用交流電源ｅの電圧をダイオードブリッジ２で全波整流し、コンデ
【００３２】
ンサＣ１で平滑し、昇圧チョッパ回路３で力率改善するとともに昇圧し、インバータ回路４で高周波交流に逆変換して蛍光ランプＦＬを高周波点灯させる。インバータ回路４は、マイコン６およびインバータ制御部７による制御でインバータ駆動回路５により駆動する。また、マイコン６およびインバータ制御部７の始動シーケンス信号により、始動時に、蛍光ランプＦＬのフィラメントＦＬ１ａ、ＦＬ１ｂにインバータ回路４から予熱電圧を与えて予熱させた後、インバータ回路４の出力電圧を始動電圧に切り換えて蛍光ランプＦＬを点灯させる。
【００３３】
ここで、蛍光ランプＦＬおよびＬＥＤ２０の点灯制御について説明する。マイコン６は、商用電源の投入後、マイコン電源生成部８で例えば２Ｖ以上である５Ｖまで降下されたマイコン駆動用電源が生成および供給されると立ちあがるとともに、待機状態となる。そして壁スイッチ１１あるいは外部送信機の操作に伴う割り込み信号が入力されたかどうかを検知している。
【００３４】
具体的に説明すると、例えば壁スイッチ１１により商用電源ｅをオフにした状態、すなわち電源監視部９からマイコン６への電源検出信号が例えばＨレベルからＬレベルに切り換わったとき、言い換えると電源検出信号の立ち下がりを検出した際などの電源検出信号の状態が変化したときには、マイコン６の待機状態が一旦解除される。
【００３５】
そして、マイコン６は、所定の待ち受け時間以内に壁スイッチ１１により電源が再度オンされたかどうかを検知し、所定の待ち受け時間以内に壁スイッチ１１にて電源が再度オンされた場合には、インバータ制御部７あるいは抵抗Ｒ１を介してＬＥＤ２０の駆動を制御して蛍光ランプＦＬあるいはＬＥＤ２０の点灯モードを切り換え、この切り換え処理が終了すると再度待機状態となる。
【００３６】
また、壁スイッチ１１により所定のリセット時間以上外部操作が入力されない場合には、マイコン６がインバータ制御部７あるいはＬＥＤ２０の駆動を制御して蛍光ランプＦＬおよびＬＥＤ２０をともに消灯モードにした後停止し、リセットされる。
【００３７】
例えば壁スイッチ１１により商用電源ｅをオフにした状態、すなわち電源監視部９からマイコン６への電源検出信号が例えばＨレベルからＬレベルに切り換わったとき、言い換えると電源検出信号の立ち下がりを検出した際などの電源検出信号の状態が変化したときには、マイコン６の待機状態が一旦解除される。
【００３８】
そして、マイコン６は、所定の待ち受け時間以内に壁スイッチ１１により電源が再度オンされたかどうかを検知し、所定の待ち受け時間以内に壁スイッチ１１にて電源が再度オンされた場合には、インバータ制御部７あるいは抵抗Ｒ１を介してＬＥＤ２０の駆動を制御して蛍光ランプＦＬあるいはＬＥＤ２０の点灯モードを切り換え、この切り換え処理が終了すると再度待機状態となる。
【００３９】
また、壁スイッチ１１により所定のリセット時間以上外部操作が入力されない場合には、マイコン６がインバータ制御部７あるいはＬＥＤ２０の駆動を制御して蛍光ランプＦＬおよびＬＥＤ２０をともに消灯モードにした後停止し、リセットされる。
【００４０】
また、外部送信機の操作に伴って外部送信機から信号が出力されると、割り込み信号が受信部１０を介してマイコン６に入力されるとマイコン６の待機状態が解除される。
【００４１】
そして、マイコン６は、入力された割り込み信号に伴ってインバータ制御部７あるいは抵抗Ｒ１を介してＬＥＤ２０の駆動を制御して蛍光ランプＦＬあるいはＬＥＤ２０の点灯モードあるいは蛍光ランプＦＬおよびＬＥＤ２０をともに消灯モード、この切り換え処理が終了すると再度待機状態となる。
【００４２】
このような制御形態におけるＬＥＤ２０の点灯制御について説明する。すなわち、本実施形態では、商用電源ｅから交流電圧がマイコン電源生成部８へ直接に供給され、マイコン電源生成部８では例えば２Ｖ以上である５Ｖである直流電圧を生成しマイコンへ供給しているものである。要するに、マイコン６は、蛍光ランプＦＬおよびＬＥＤ２０の点灯／消灯状態に関係なく外部送信機または壁スイッチ１１からの信号を受光部１０または電源検出部８から受け得るために、マイコン電源生成部８を介して商用電源ｅから直接に電源が供給されており、そして、マイコン６の出力部へ直接接続されているＬＥＤは、２Ｖ以上の直流電源で点灯可能であるので、マイコン６の出力部からＬＥＤ２０の点灯制御に関する信号を直接受けると、マイコン電源生成部８の出力に接続されていることによって点灯することができる。
【００４３】
本実施形態によれば、商用電源ｅの出力間に接続されてマイコン駆動用電源を生成するマイコン電源生成部８の出力にＬＥＤ２０が接続されていることで点灯用電源を取っており、さらにマイコン８の出力部に直接ＬＥＤ２０が接続されているので、蛍光ランプＦＬ以外に補助光源としてのＬＥＤ２０を用いても蛍光ランプＦＬの点灯回路とは別にＬＥＤの点灯用の回路構成をマイコン電源生成部８とマイコン６とで形成することができる。
【００４４】
また、ＬＥＤ２０を用いることで、補助光源を点灯させるための交流スイッチやマイコンからの信号により補助光源を点灯させるためのＯＮ／ＯＦＦスイッチ等を用いることがないので、簡単かつ安価な回路構成とすることができる。
【００４５】
さらにまた、ＬＥＤ２０は、商用電源ｅの出力間に接続されているマイコン電源生成部８に接続されているとともに、外部送信機からの信号を受けるために常に駆動しているマイコン６の出力部に接続されているので、ＬＥＤ２０の点灯制御を容易に、かつ、確実に行うことができる。
【００４６】
さらにまた、補助光源の点灯制御に関する部品点数を従来よりも少なくすることができるので、全体として小形化可能にすることができる。
【００４７】
また、補助光源としてＬＥＤ２０を用いることで、電球を補助光源として用いるよりも口金等の構造部品が削減できるととともに、補助光源からの発熱および消費電力を抑えることができ、照明装置５０の器具効率を向上させることができる。
【００４８】
なお、本実施形態の他、例えば、ＬＥＤ２０を複数設け、各々のＬＥＤ２０をマイコン６の出力部へ接続し、各々のＬＥＤ２０の点灯制御を組合わせることで、補助光源全体として光量の変化を持たせることができるので、調光等の点灯モードも設定することが可能となる。
【図面の簡単な説明】
【００４９】
【図１】本実施形態の照明装置の点灯装置の回路図
【図２】図１の照明装置の底面図
【符号の説明】
【００５０】
４・・・インバータ回路光源、６・・・マイコン、７・・・受信部、８・・・マイコン電源生成部、２０・・・ＬＥＤ、５０・・・照明装置
【図１】
2006100129.tif 000003
【図２】
2006100129.tif 000004